【手続補正書】
【提出日】平成16年3月10日(2004.3.10)
【手続補正１】
【補正対象書類名】明細書
【補正対象項目名】特許請求の範囲
【補正方法】変更
【補正の内容】
【特許請求の範囲】
【請求項１】
荷物を集荷する第１の卸売業者によって荷受された荷物の全部又は一部を、当該荷物の入出庫を自動で行なう自動倉庫に入庫する第１のステップと、
前記第１のステップで荷受された荷物に対して、予約相対及び／又は転送による引当を行なう第２のステップと、
前記第２のステップの未引当品に対して、事前販売による引当を行なう第３のステップと、
前記第３のステップの未引当品に対して、予約相対を除く相対取引及び／又は競売による引当を行なう第４のステップと、
前記第４のステップの未引当品を後に行なわれる取引の引当に回す第５のステップと、
を含んで実行すること、
を特徴とする卸売方法。
【請求項２】
前記各ステップを実行するため、前記第１のステップにおいて、前記自動倉庫に入庫する荷物のデータを個別にコンピュータに登録し、前記各ステップをコンピュータの管理の下に行なうこと、を特徴とする請求項１に記載の卸売方法。
【請求項３】
前記第２〜第４のそれぞれのステップにおいて、前記引当があった荷物の所有者の名義を書き換えること、又は前記引当があった荷物のデータを消去すること、を特徴とする請求項２に記載の卸売方法。
【請求項４】
前記第１の卸売業者が受け付けた転送取引の申込みを転送予定として予め前記コンピュータに登録し、この転送予定に基づいて前記第１のステップで入庫した荷物及び／又は前記第５のステップで回した荷物に対して前記コンピュータが前記転送予定に基づいて引き当てたデータを参照して、前記自動倉庫に入庫されている荷物を出庫すること、を特徴とする請求項２又は請求項３に記載の卸売方法。
【請求項５】
前記第４のステップで前記競売による商いを行なう場合に、前記コンピュータに登録してあるデータを参照して、前記自動倉庫に入庫されている荷物の一部を見本品として出庫すること、を特徴とする請求項２ないし請求項４のいずれか１項に記載の卸売方法。
【請求項６】
荷物を集荷する第１の卸売業者によって荷受された荷物に対して、予約相対、転送、事前販売、相対、競売による商いの少なくとも一つ以上の商いを行なうため、
前記荷受された荷物のデータを個別にコンピュータに登録し、前記商いをコンピュータの管理の下に行なうこと、
を特徴とする卸売方法。
【請求項７】
前記各商いが成立した場合に、前記成立した商いの対象になった荷物の所有者の名義を書き換えて前記コンピュータに登録すること、又は前記成立した商いの対象になった荷物のデータを前記コンピュータから消去すること、を特徴とする請求項６に記載の卸売方法。
【請求項８】
前記荷受された荷物の全部又は一部を入庫する倉庫が前記荷物の入出庫を自動で行なう自動倉庫であり、相対又は競売による商いを行なう場合に、前記コンピュータに登録してあるデータを参照して、前記自動倉庫に入庫されている荷物の一部を見本品として出庫すること、を特徴とする請求項６又は請求項７に記載の卸売方法。
【請求項９】
荷物を集荷し、荷受を行なう第１の卸売業者とこの第１の卸売業者から前記荷物を仕入れる第２の卸売業者との間の商いをコンピュータが支援する卸売方法であって、
前記コンピュータが、
前記荷受された荷物のデータを記憶するステップＡと、
前記データを記憶した荷物に対して、予約相対及び／又は転送による引当を行なうステップＢと、
前記ステップＢの未引当品に対して、事前販売による引当を行なうステップＣと、
前記ステップＣの未引当品に対して、予約相対を除く相対取引及び／又は競売による引当を行なうステップＤと、
前記ステップＤの未引当品を後に行なわれる取引の引当に回すステップＥと、を含んで実行すると共に、
前記コンピュータが、
前記引当の際に、前記荷物の出荷先が特定されているときは、当該出荷先への引当も併せて実行すること、
を特徴とする卸売方法。
【請求項１０】
前記ステップＢ〜ステップＤまでの各ステップが、前記荷物の入出庫を自動で行なう自動倉庫に入庫された状態で行なわれること、を特徴とする請求項９に記載の卸売方法。
【請求項１１】
荷物の集荷を行なう第１の卸売業者によって荷受された荷物の全部又は一部を倉庫に入庫し、該入庫した荷物に対して、第２の卸売業者との間で行なわれる予約相対、事前販売、相対、競売による商いの少なくとも一つ以上をコンピュータが支援する卸売方法であって、
前記コンピュータは、
前記荷受された荷物のデータを個別に記憶すると共に、前記商いごとに前記荷物単位で引当を実行できるように構成されており、
さらに、前記引当の際に当該商いにおける出荷先が特定されていると、当該出荷先への引当も併せて実行すること、
を特徴とする卸売方法。
【請求項１２】
前記コンピュータは、前記第１の卸売業者によって荷受された荷物の全部又は一部を倉庫に入庫した入庫時間を個別に記憶すると共に、保管時間従量制の課金テーブルを記憶し、前記荷物の出庫があったときは、前記荷物の入庫から出庫までの保管時間に対する課金額を前記課金テーブルを参照して算出するように構成されており、
さらに、前記荷物の引当があったときは、当該引当前の所有者に対しては当該引当時点までの保管時間に対する課金額を算出し、当該引当後の新たな所有者に対しては当該引当から出庫までの保管時間に対する課金額を算出すること、
を特徴とする請求項１０又は請求項１１に記載の卸売方法。
【請求項１３】
荷物を集荷する第１の卸売業者が荷受した荷物を第２の卸売業者が仕入れて商いを行うための仕入方法であって、
この仕入方法は、前記荷物の入出庫を自動で行なう自動倉庫と、この自動倉庫に入庫してある荷物のデータを個別に管理するコンピュータを介して行なわれ、
小売業者から前記第２の卸売業者が受け付けた注文を前記コンピュータに登録するステップと、
前記コンピュータに登録してある前記第２の卸売業者自身の在庫と前記注文を参照して、前記第１の卸売業者から予約相対で仕入れる荷物の種類及び量を設定し、前記第１の卸売業者に対して予約相対の申込みをするステップと、
前記コンピュータに登録してある前記第１の卸売業者の未引当品の種類及び量を参照して、前記第１の卸売業者から事前販売で仕入れる荷物の種類及び量を設定し、前記第１の卸売業者に対して前記事前販売の申込みをするステップと、を含んで実行すること、
を特徴とする仕入方法。
【請求項１４】
前記予約相対及び／又は事前販売で前記第２の卸売業者が仕入れた荷物の全部又は一部を前記自動倉庫から一旦出庫して小分けし、このように小分けされた荷物のデータを前記コンピュータに登録し、再度入庫すること、を特徴とする請求項１３に記載の仕入方法。
【請求項１５】
前記仕入方法が、荷物の集荷、荷受および分荷が行なわれる場所に建てられ、前記荷物を商う第１の卸売業者と第２の卸売業者の少なくとも一方が業務を行なう建物であって、前記第１の卸売業者と第２の卸売業者の少なくとも一方が商う荷物を入庫する自動倉庫と、前記集荷された荷物を前記自動倉庫に入庫する入庫場所と、前記自動倉庫から前記荷物を出庫して加工する加工場と、前記自動倉庫から前記荷物を出庫して出荷する出荷場と、を備え、少なくとも前記加工場を前記入庫場所及び／又は前記出荷場とは異なる階に配置した集荷及び分荷用の建物で行なわれること、を特徴とする請求項１３又は請求項１４に記載の仕入方法。
【請求項１６】
荷物を集荷し、荷受を行なう第１の卸売業者と、この第１の卸売業者から前記荷物を仕入れる第２の卸売業者との間で、荷物の入出庫を自動で行なう自動倉庫を介して行なう卸売をコンピュータで支援する卸売支援システムであって、
前記自動倉庫に入庫する荷物のデータを個別に前記コンピュータに登録する手段と、
小売業者からの前記第２の卸売業者に対する注文を前記コンピュータに登録する手段と、
前記第２の卸売業者からの前記第１の卸売業者に対する予約相対の注文を前記コンピュータに登録する手段と、
前記第２の卸売業者からの前記第１の卸売業者に対する事前販売の注文を前記コンピュータに登録する手段と、
前記第１の卸売業者と前記第２の卸売業者の間で行なわれる予約相対を除く相対取引及び／又は競売のための見本品の出庫を前記コンピュータに指示する手段と、
前記荷物の出荷のための出庫を前記コンピュータに指示する手段と、
を備えることを特徴とする卸売支援システム。
【請求項１７】
他市場からの前記第１の卸売業者に対する転送の注文を前記コンピュータに登録する手段と、
前記転送のための出庫を前記コンピュータに指示する手段と、
を備えることを特徴とする請求項１６に記載の卸売支援システム。
【請求項１８】
前記荷物の小分けのための出庫を前記コンピュータに指示する手段を備えること、を特徴とする請求項１６又は請求項１７に記載の卸売支援システム。
【請求項１９】
前記卸売が、荷物の集荷、荷受および分荷が行なわれる場所に建てられ、前記荷物を商う第１の卸売業者と第２の卸売業者の少なくとも一方が業務を行なう建物であって、前記第１の卸売業者と第２の卸売業者の少なくとも一方が商う荷物を入庫する自動倉庫と、前記集荷された荷物を前記自動倉庫に入庫する入庫場所と、前記自動倉庫から前記荷物を出庫して加工する加工場と、前記自動倉庫から前記荷物を出庫して出荷する出荷場と、を備え、少なくとも前記加工場を前記入庫場所及び／又は前記出荷場とは異なる階に配置した集荷及び分荷用の建物で行なわれること、を特徴とする請求項１６ないし請求項１８のいずれか１項に記載の卸売支援システム。